(57)【要約】【課題】補聴器使用者の満足感を高めることができる補聴器フィッティング装置を提供する。【解決手段】本発明は、調整値入力部２と、この調整値入力部２によって設定された補聴データが表示される表示部３とを備え、前記表示部３に表示された、前記調整値入力部２によって設定された第１、第２の補聴データから第１の補聴適正データを選択し、次にこの選択された第１の補聴適正データと前記調整値入力部によって設定された第３の補聴データとを比較して第２の補聴適正データを選択し、その後、前記表示部に前記第１、第２の補聴適正データを表示させ、この表示部に表示された前記第１、第２の補聴適正データから補聴器書き込みデータを選択する構成とした。【選択図】図１
2011119811.tif 000002
【特許請求の範囲】
【請求項１】
調整値入力部と、前記調整値入力部によって設定された補聴データが表示される表示部とを備え、
前記表示部に表示された、前記調整値入力部によって設定された第１の補聴データおよび第２の補聴データから第１の補聴適正データを選択し、次にこの選択された前記第１の補聴適正データと前記調整値入力部によって設定された第３の補聴データとを比較して第２の補聴適正データを選択し、その後、前記表示部に前記第１の補聴適正データおよび前記第２の補聴適正データを表示させ、前記表示部に表示された前記第１の補聴適正データおよび前記第２の補聴適正データから補聴器書き込みデータを選択する構成とした補聴器フィッティング装置。
【請求項２】
前記第１の補聴適正データおよび前記第２の補聴適正データを蓄積するバッファを設けた、請求項１に記載の補聴器フィッティング装置。
【請求項３】
前記第１の補聴適正データおよび前記第２の補聴適正データを前記バッファから読み出す履歴キーを設けた、請求項２に記載の補聴器フィッティング装置。
【発明の詳細な説明】
【技術分野】
【０００１】
本発明は、補聴器フィッティング装置に関するものである。
【背景技術】
【０００２】
従来のこの種、補聴器フィッティング装置の構成は次のようになっていた。
すなわち、調整値入力部と、この調整値入力部によって設定された補聴データが表示される表示部とを備え、前記表示部に表示された、前記調整値入力部によって設定された第１、第２の補聴データから、適正と思われる例えば第１の補聴データを選択し、次にこの選択された第１の補聴データと前記調整値入力部によって設定された第３の補聴データとを比較し、適正と思われる例えば第３の補聴データを選択し、以降これを数回繰り返した後に、最終的に残った補聴データを補聴器書き込みデータに決定するようになっていた（例えば下記特許文献１）。
【先行技術文献】
【特許文献】
【０００３】
【特許文献１】特許第４２２２５６４号公報
【発明の概要】
【発明が解決しようとする課題】
【０００４】
上記従来例における課題は、補聴器使用者の満足感が、必ずしも十分に得られないと言うことであった。
すなわち、補聴器使用者は、上述のごとく補聴データによる音を数回、試聴、比較、選択を繰り返すために、最終的に補聴データを選択したにも関わらず、この最終的に選択した補聴データよりも、数回前の補聴データの方が良かったのではないかと感ずることが多くある。それにも拘らず、最終的に選択した補聴データが自分で選択したものと言う事で、不承不承納得しているのが実態であり、このことから補聴器使用者の満足感が、必ずしも十分に得られないのであった。
【０００５】
そこで、本発明は補聴器使用者の満足感を高めることを目的とするものである。
【課題を解決するための手段】
【０００６】
本発明は、調整値入力部と、この調整値入力部によって設定された補聴データが表示される表示部とを備え、前記表示部に表示された、前記調整値入力部によって設定された第１、第２の補聴データから第１の補聴適正データを選択し、次にこの選択された第１の補聴適正データと前記調整値入力部によって設定された第３の補聴データとを比較して第２の補聴適正データを選択し、その後、前記表示部に前記第１、第２の補聴適正データを表示させ、この表示部に表示された前記第１、第２の補聴適正データから補聴器書き込みデータを選択する構成としたものであり、これにより所期の目的を達成するものである。
【発明の効果】
【０００７】
以上のように本発明は、調整値入力部と、この調整値入力部によって設定された補聴データが表示される表示部とを備え、前記表示部に表示された、前記調整値入力部によって設定された第１、第２の補聴データから第１の補聴適正データを選択し、次にこの選択された第１の補聴適正データと前記調整値入力部によって設定された第３の補聴データとを比較して第２の補聴適正データを選択し、その後、前記表示部に前記第１、第２の補聴適正データを表示させ、この表示部に表示された前記第１、第２の補聴適正データから補聴器書き込みデータを選択する構成としたものであるので、補聴器使用者の満足感を高めることができる。すなわち本発明においては、数回の試聴、比較、選択を繰り返すことは同じことではあるが、各段階で選択された補聴適正データを再度表示部に表示させ、この内から再度最終的な補聴器書き込みデータを選択するので、補聴器使用者は納得して最終的な補聴器書き込みデータを選択することができ、その結果として満足感を高めることができるのである。
【図面の簡単な説明】
【０００８】
【図１】本発明の実施の形態１にかかる斜視図
【図２】同要部動作説明図
【図３】同要部動作説明図
【図４】同要部動作説明図
【図５】同要部動作説明図
【図６】同制御ブロック図
【図７】同動作フローチャート
【図８】同要部動作説明図
【発明を実施するための形態】
【０００９】
以下、本発明の一実施形態を、添付図面を用いて説明する。
（実施の形態１）
図１は本発明の実施の形態１を示し、補聴器フィッティング装置１は、調整値入力部２と、この調整値入力部２によって設定された補聴データが表示される表示部３によって構成されている。また、補聴器フィッティング装置１と使用者４の補聴器５とは、有線の接続ボックス６、あるいは無線の接続ボックス７を介して接続されている。すなわち、フィッティング調整者８は、先ず使用者４の聴力測定、問診を行うことで補聴器５を選定し、次に使用者４にその補聴器５を耳に装着していただいた状態で、前記聴力測定結果に応じてファーストフィットと言われるフィッティングを行う。
【００１０】
このファーストフィットでは、前記聴力測定結果に応じて算出された補聴データを補聴器フィッティング装置１から補聴器５の補聴処理部（図示せず）に、前記有線の接続ボックス６、あるいは無線の接続ボックス７を介して入力する。次に微調整を行って最終的なフィッティング作業が完了する。この微調整については、以降詳細に説明するが、その調整の都度、補聴データは補聴器５の補聴処理部（図示せず）に、前記有線の接続ボックス６、あるいは無線の接続ボックス７を介して更新入力される。
【００１１】
図２は補聴器フィッティング装置１の調整値入力部２と表示部３を模式化して示したものであり、右耳用の現在の補聴データを示した画面９と、右耳用の前回の補聴データを示した画面１０とが図１の表示部３に示されている。また、調整値入力部２には、周知のようにゲイン調整用の操作部１１、傾斜を設定する操作部１２、折れ曲がり点を設定する操作部１３等が設けられている。また、図３は図２の右耳のフィッティング作業後に左耳のフィッティングを行う時の状態を示している。図２の右耳のフィッティング作業時には、現在の補聴データを示した画面９の左側に前回の補聴データを示した画面１０が存在しているが、図３の左耳のフィッティング作業時には、現在の補聴データを示した画面９の右側に前回の補聴データを示した画面１０が存在している。
【００１２】
さて、本実施形態においては、図４のようにして前記微調整が行われる。先ずは、図２の画面９と画面１０には、同じ「補聴データＡ」が表示されている。この状態で、画面９の補聴データＡは、（１）変更により、調整値入力部２によって「補聴データＡ１」に変更される。次に（２）比較により、画面９の「補聴データＡ１」（第１の補聴データ）と、画面１０の「補聴データＡ」（第２の補聴データ）が比較される。つまりこの時には、補聴器５の補聴処理部（図示せず）に「補聴データＡ１」を書き込んだ状態で使用者４に試聴頂き、次に補聴器５の補聴処理部（図示せず）に「補聴データＡ」を書き込んだ状態で使用者４に試聴頂き、どちらが好ましいかを使用者４に判定いただく。
【００１３】
この例では、画面９の「補聴データＡ１」が使用者４に好ましいと判定されたので、その時には図２に示す画面９の選択キー１４を押すことになる。すると、この選択された画面９の「補聴データＡ１」（第１の補聴適正データ）は、（３）同期により、画面１０にも表示されることになる。次に、（４）変更により、調整値入力部２によって「補聴データＡ１」が「補聴データＡ２」に変更される。次に（５）比較により、画面９の「補聴データＡ２」と、画面１０の「補聴データＡ１」が比較される。この時にも、補聴器５の補聴処理部（図示せず）に「補聴データＡ２」を書き込んだ状態で使用者４に試聴頂き、次に補聴器５の補聴処理部（図示せず）に「補聴データＡ１」を書き込んだ状態で使用者４に試聴頂き、どちらが好ましいかを使用者４に判定いただく。
【００１４】
この例では、画面９の「補聴データＡ１」（第２の補聴適正データ）が使用者４に好ましいと判定されたので、その時には図２に示す画面１０の選択キー１５を押すことになる。すると、この選択された画面９の「補聴データＡ１」は、（６）同期により、画面９にも表示されることになる。
【００１５】
再び、（７）変更により、調整値入力部２によって「補聴データＡ１」が「補聴データＡ３」に変更される。次に（８）比較により、画面９の「補聴データＡ３」と、画面１０の「補聴データＡ１」が比較される。この時にも、補聴器５の補聴処理部（図示せず）に「補聴データＡ３」を書き込んだ状態で使用者４に試聴頂き、次に補聴器５の補聴処理部（図示せず）に「補聴データＡ１」を書き込んだ状態で使用者４に試聴頂き、どちらが好ましいかを使用者４に判定いただく。
【００１６】
この例では、画面９の「補聴データＡ３」（第３の補聴適正データ）が使用者４に好ましいと判定されたので、その時には図２に示す画面９の選択キー１４を押すことになる。
以降このような、調整、試聴、比較が継続され、その度に選択された補聴データ（この例ではＡ１、Ａ３、ＡＮ、ＡＫ）が、選択キー１４、１５が押される時に、図６のバッファ１６に、図５のごとく、補聴データＡ１、Ａ３、ＡＮ、ＡＫが補聴適正データとして蓄積される。なお、第１補聴適正データと第２補聴適正データとはＡ１で同一であるため、１つのデータとして蓄積される。
【００１７】
また、この実施形態では図６のバッファ１６には、図５のごとく、選択されなかった補聴データＡ、Ａ２、Ａｐも補聴非適正データとして蓄積されている。ただし、この選択しなかった補聴データＡ、Ａ２、Ａｐと、前記選択された補聴データＡ１、Ａ３、ＡＮ、ＡＫは、バッファ１６内において分離した状態で蓄積されているので、後で呼び出す時には別々に呼び出すことが出来る。また、選択キー１４，１５が押される時に、時刻情報を取得することで、図５に代わり図８のごとく補聴データＡ１、Ａ３、ＡＮ、ＡＫを時刻情報とともに蓄積し呼び出すことが出来る。
【００１８】
さて以上のような調整の結果、最終的には補聴データＡＫが選択されたので、補聴器５の補聴処理部（図示せず）には、この補聴データＡＫがかきこまれた状態となっているが、使用者は今までに選択した補聴データＡ１、Ａ３、ＡＮとこの補聴データＡＫのどちらが良かったのか不安な状態となることもある。そこで本実施形態では、フィッティング調整者８が図２、図３の履歴キー１７を押せば、図６のバッファ１６に蓄積された、図５上側部分の補聴データＡ１、Ａ３、ＡＮ、ＡＫだけを表示部３に表示させることが出来る。
【００１９】
次に、フィッティング調整者８は、前記最終的に選択されていた前記補聴データＡＫと、補聴データＡ１、Ａ３、ＡＮに順次タッチすることで、使用者４に、再度試聴頂き、どちらが好ましいかを使用者４に判定いただく。そして、最終的にこの比較で残った補聴データ（例えばＡ３）を、補聴器５の補聴処理部（図示せず）に書き込むことになる。
なお、この時の書き込みは、表示部３に表示された最終的に残った補聴データＡ３にタッチすれば、その補聴データＡ３が補聴器５の補聴処理部（図示せず）に書き込まれることになる。  なお、図３に示した左耳用のフィッティングも上記右耳用のフィッティングと同様にして行われる。
【００２０】
図６は補聴器フィッティング装置１の制御ブロック図を示しているが、図１の有線の接続ボックス６、あるいは無線の接続ボックス７、補聴器５等は省略している。つまり、ゲイン調整用の操作部１１、傾斜を設定する操作部１２、折れ曲がり点を設定する操作部１３には調整値書き換え部１８が接続され、この調整値書き換え部１８には表示部３と、補聴器書き込み部１９と、メイン調整値メモリ２０が接続されている。
【００２１】
また、選択キー１４、１５には格納処理部２１が接続され、格納処理部２１には前記バッファ１６とメモリ同期処理部２２が接続されている。さらにメモリ同期処理部２２にはサブ調整値メモリ２３が接続され、このサブ調整値メモリ２３には表示部３、格納処理部２１、切り替え処理部２４が接続されている。そして、この切り替え処理部２４にはハイライト切り替え入力部２５が接続されている。この切り替え処理部２４は、上述した、表示部３に表示された図５上側部分の補聴データＡ１、Ａ３、ＡＮに順次タッチすることで、入力切替を行うためのものである。
【００２２】
図７は以上のフィッティング作業の操作フローチャートを示し、ＳＴ１〜ＳＴ２では、前述した、図４の補聴データＡから（１）変更により、調整値入力部２によって「補聴データＡ１」に変更する部分を示している。ＳＴ３は、前述した図４の（２）比較により、画面９の「補聴データＡ１」と、画面１０の「補聴データＡ」が比較され、画面９の「補聴データＡ１」が使用者４に好ましいと判定され、その時に図２に示す画面９の選択キー１４が押された状態を示す。
【００２３】
ＳＴ４〜ＳＴ５は、図４の（３）同期により、選択された画面９の「補聴データＡ１」が、画面１０に表示された状態を示している。そして、以上のＳＴ１〜ＳＴ５が、上述のごとく適宜繰り返されることになる。また、前記履歴キー１７を押すとＳＴ６に移動し、このＳＴ６〜ＳＴ８では、前記フィッティング調整者８が図２、図３の履歴キー１７を押し、図６のバッファ１６に蓄積された、図５上側部分の補聴データＡ１、Ａ３、ＡＮ、ＡＫだけを表示部３に表示させた状態とその後の下記状態を示している。
【００２４】
つまり、フィッティング調整者８が、前記最終的に選択されていた前記補聴データＡＫと、補聴データＡ１、Ａ３、ＡＮに順次タッチすることで、使用者４に、再度試聴頂き、どちらが好ましいかを使用者４に判定いただき、最終的にこの比較で残った補聴データ（例えばＡ３）を、補聴器５の補聴処理部（図示せず）に書き込む状態を示している。
【産業上の利用可能性】
【００２５】
本発明によると、補聴器使用者は納得して最終的な補聴器書き込みデータを選択することができ、その結果として満足感を高めることができる
ため、補聴器フィッティング装置に広く活用が期待される。
【符号の説明】
【００２６】
１    補聴器フィッティング装置
２    調整値入力部
３    表示部
４    使用者
５    補聴器
６、７    接続ボックス
８    調整者
９，１０    画面
１１、１２、１３    操作部
１４、１５    選択キー
１６    バッファ
１７    履歴キー
１８    調整値書き換え部
１９    補聴器書き込み部
２０    メイン調整値メモリ
２１    格納処理部
２２    メモリ同期処理部
２３    サブ調整値メモリ
２４    切り替え処理部
２５    ハイライト切り替え入力部
【図４】
2011119811.tif 000003
【図５】
2011119811.tif 000004
【図６】
2011119811.tif 000005
【図７】
2011119811.tif 000006
【図８】
2011119811.tif 000007
【図１】
2011119811.tif 000008
【図２】
2011119811.tif 000009
【図３】
2011119811.tif 000010
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
調整値入力部と、前記調整値入力部によって設定された補聴データが表示される表示部と、前記補聴データを蓄積するバッファとを備え、補聴器に前記補聴データを入力し、前記補聴データが入力された前記補聴器を補聴器使用者が試聴して、調整者によって前記補聴器の調整が行われる、補聴器フィッティング装置であって、
前記表示部に表示された、前記調整値入力部によって設定された第１の補聴データと第２の補聴データとを比較して、前記補聴器使用者に好ましいとされた一方の補聴データが、前記調整者によって選択され、第１の補聴適正データとして前記バッファに蓄積され、
前記第１の補聴適正データが同期して２つ並べて前記表示部に表示され、前記表示部に表示された一方の前記第１の補聴適正データが、前記調整値入力部によって設定された第３の補聴データに変更され、
次に前記第１の補聴適正データと前記第３の補聴データとを比較して、前記補聴器使用者に好ましいとされた一方の補聴データが、前記調整者によって選択され、第２の補聴適正データとして前記バッファに蓄積され、
これらの比較および選択を繰り返して最終的に前記補聴器使用者に選択された補聴適正データとともに、それ以前に前記補聴器使用者に選択された全ての補聴適正データが前記表示部に表示され、
前記補聴器使用者が前記表示された前記補聴適正データを再度試聴し、その中から最適な補聴データを選択し、前記調整者が、補聴器書き込みデータとして前記補聴器の補聴処理部に書き込む、補聴器フィッティング装置。
【請求項２】
前記第１の補聴適正データおよび前記第２の補聴適正データを前記バッファから読み出す履歴キーを設けた、請求項１に記載の補聴器フィッティング装置。
【請求項３】
補聴データが入力された補聴器を補聴器使用者が試聴して、調整者が前記補聴器の調整を行う、補聴器フィッティング方法であって、
第１の補聴データと第２の補聴データとを表示する第１の工程と、
前記第１の補聴データと前記第２の補聴データとを比較して、前記補聴器使用者に好ましいとされた一方の補聴データを、前記調整者が選択し、第１の補聴適正データとして蓄積する第２の工程と、
前記第１の補聴適正データを同期させて２つ並べて表示し、表示された一方の前記第１の補聴適正データを、第３の補聴データに変更して表示する第３の工程と、
前記第１の補聴適正データと前記第３の補聴データとを比較して、前記補聴器使用者に好ましいとされた一方の補聴データを、前記調整者が選択し、第２の補聴適正データとして蓄積する第４の工程と、
前記第１工程、前記第２工程、前記第３工程および前記第４工程を繰り返して最終的に前記補聴器使用者に選択された補聴適正データとともに、それ以前に、前記第２の工程および前記第４の工程で、前記補聴器使用者に選択された全ての補聴適正データを表示する第５工程と、
前記補聴器使用者が、前記第５工程で表示された前記補聴適正データを再度試聴し、その中から最適な補聴データを選択し、前記調整者が、補聴器書き込みデータとして前記補聴器の補聴処理部に書き込む第６工程と、を有する補聴器フィッティング方法。